(57)【特許請求の範囲】
【請求項１】
便鉢部と、
前記便鉢部の底部に接続され、前記底部に溜められる溜水の非洗浄時の水位を定めるトラップ部と、
前記底部に形成されるジェット吐出口と、前記ジェット吐出口に洗浄水を供給するためのジェット用給水路とを有し、前記ジェット吐出口から洗浄水を吐き出すことにより、該底部内に水流を形成する吐水部と、を備え、
前記ジェット吐出口は、非洗浄時の前記溜水の水位を上下に跨がるように形成され、
前記便鉢部は、該便鉢部の上端部を形成するリム部を有し、
前記吐水部は、前記リム部に形成されるリム吐水口と、前記リム部の裏側に形成され、前記リム吐水口に洗浄水を供給するためのリム通水路と、を有し、
前記リム通水路の内底面には、前記リム吐水口から奥側に向かうにつれて下り傾斜となる勾配が設けられ、
前記ジェット用給水路内に洗浄水を導入するための導入口は、前記リム通水路の内壁面に形成され、前記リム吐水口より低位置で、かつ、前記勾配をもつ前記内底面の最高位置より低位置に少なくとも一部が配置されることを特徴とする水洗大便器。
【請求項２】
前記便鉢部及び前記吐水部は、前記ジェット用給水路内の空気が前記ジェット吐出口から排気され終えてから、前記ジェット吐出口全体が水没するように構成されることを特徴とする請求項１に記載の水洗大便器。
【請求項３】
前記吐水部は、前記便鉢部内に洗浄水を吐き出すためのリム吐水口を有し、
前記便鉢部及び前記吐水部は、前記ジェット吐出口から洗浄水が吐き出されてから、前記リム吐水口から吐き出される洗浄水が前記溜水に着水するように構成されることを特徴とする請求項１に記載の水洗大便器。
【請求項４】
前記ジェット用給水路は、洗浄水を導入するための導入口から前記ジェット吐出口にかけての範囲において、非洗浄時に連続する大気空間が存在するように形成されることを特徴とする請求項１から３のいずれかに記載の水洗大便器。
【発明の詳細な説明】
【技術分野】
【０００１】
本発明は、水洗大便器に関する。
【背景技術】
【０００２】
大便器の便鉢部には、洗浄水を吐き出すための開口として、リム吐水口の他にジェット吐出口が形成されることがある。リム吐水口は、便鉢部のリム部に形成され、リム吐水口から吐き出される洗浄水により便鉢部全体が洗浄される。ジェット吐出口は、便鉢部の底部等に形成され、ジェット吐出口から吐き出される洗浄水により、汚物の排出を促進するための水流が形成される。
【０００３】
例えば、特許文献１には、便鉢部の底部内に溜められる溜水の最高水位より高位置に形成されるジェット吐出口と、ジェット吐出口に洗浄水を供給する洗浄水供給路と、を有する便器が開示されている。この便器では、ジェット吐出口から吐き出される洗浄水により、水平軸周りに旋回する旋回流が形成される。この旋回流によりトラップ部内に汚物を送り込むことができ、汚物を効果的に排出できると記載されている。
【先行技術文献】
【特許文献】
【０００４】
【特許文献１】特開２００８−４５２７６号公報
【発明の概要】
【発明が解決しようとする課題】
【０００５】
本発明者は、特許文献１の構造に関して検討した結果、以下の課題を認識するに至った。特許文献１の便器では、便器洗浄後、洗浄水供給路に残留した残留水が、すじ状の水（以下、すじ状水という）となって、ジェット吐出口から便鉢部の内面を伝って流れ落ちてしまう。このすじ状水は、便鉢部の内面を伝う経路を不規則に変えながら流れるうえ、長期間に亘って流れ落ちることもあり、見栄えの低下を招く原因となる。
【０００６】
本発明は、このような課題に鑑みてなされ、その目的は、便器洗浄に起因する便鉢部内の見栄えの低下を防止できる水洗大便器を提供することにある。
【課題を解決するための手段】
【０００７】
上記課題を解決するために、本発明のある態様の水洗大便器は、便鉢部と、前記便鉢部の底部に接続され、前記底部に溜められる溜水の非洗浄時の水位を定めるトラップ部と、前記底部に形成されるジェット吐出口と、前記ジェット吐出口に洗浄水を供給するためのジェット用給水路と、を有し、前記ジェット吐出口から洗浄水を吐き出すことにより、該底部内に水流を形成する吐水部と、を備え、前記ジェット吐出口は、非洗浄時の前記溜水の水位を上下に跨がるように形成される。ここでの「非洗浄時」とは、便鉢部内の洗浄を開始する前の待機状態にある時をいう。
【０００８】
この態様によれば、ジェット吐出口の下側部分が非洗浄時の溜水に水没した状態になる。よって、便器洗浄後、ジェット吐出口から吐き出される水を、便鉢部の内面を伝わせずに溜水に合流させ易くなる。このため、便器洗浄後、ジェット吐出口から便鉢部の内面へのすじ状水の流れ落ちを抑えることで、便器洗浄に起因する便鉢部内の見栄えの低下を防止できる。
【発明の効果】
【０００９】
本発明によれば、便器洗浄に起因する便鉢部内の見栄えの低下を防止できる。
【図面の簡単な説明】
【００１０】
【図１】実施形態に係る水洗大便器の平面図である。
【図２】図２は図１のＡ−Ａ線断面図である。
【図３】図２のＢ−Ｂ線断面図である。
【図４】図２の便鉢部のＣ−Ｃ線断面を示す図である。
【図５】実施形態に係るジェット用給水路内での洗浄水の流れ方を示す模式図であり、図５（ａ）は便器洗浄の開始前の状態を示し、図５（ｂ）は便器洗浄の途中状態を示す。
【図６】変形例に係るジェット用給水路内での洗浄水の流れ方を示す模式図であり、図６（ａ）は便器洗浄の開始前の状態を示し、図６（ｂ）は便器洗浄の途中状態を示し、図６（ｃ）は更に後の途中状態を示す。
【図７】実施形態に係るリム通水路の内底面に形成される勾配を模式的に示す図である。
【図８】実施形態に係る便鉢部内での洗浄水の流れ方を示す図である。
【図９】ジェット吐出口から洗浄水が吐き出される前にリム吐水口から吐き出される洗浄水が着水した場合の状態を示す模式図である。
【図１０】実施形態に係る便鉢部内での溜水の水位の変わり方を示す模式図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略する。
【００１２】
図１は本実施形態に係る水洗大便器１０の平面図である。
水洗大便器１０は、陶器を素材とする便器本体１２を備える。便器本体１２は、トイレ室の側壁面１００に掛けた状態で取り付けられる壁掛け型便器である。
【００１３】
図２は図１のＡ−Ａ線断面図である。
便器本体１２は、図１に示すように、便器本体１２の前部に形成される便鉢部１４と、便鉢部１４の底部に接続されるトラップ部１８とを備える。トラップ部１８は、便鉢部１４の底部に形成される入口１６（図１も参照）を通して便鉢部１４内に連通する。
【００１４】
図３は図２のＢ−Ｂ線断面図である。
便鉢部１４は、図２、図３に示すように、汚物を受けるための鉢状の受け面部２０と、受け面部２０の下縁部から下方に窪んで形成されるとともに便鉢部１４の底部を形成する凹部２２と、受け面部２０の上縁部に接続されるとともに便鉢部１４の上端部を形成するリム部２４と、を備える。受け面部２０は、平面視にて左右寸法より前後寸法が大きくなるような楕円状に形成される。凹部２２は有底筒状に形成され、その底面部にはトラップ部１８の入口１６が開口する。
【００１５】
便器本体１２は、図３に示すように、便鉢部１４内に洗浄水を吐き出すための吐水部２６を更に備える。吐水部２６は、便鉢部１４の凹部２２に形成されるジェット吐出口２８と、便鉢部１４のリム部２４に形成される二つのリム吐水口３０Ａ、３０Ｂと、を有する。吐水部２６は、ジェット吐出口２８から洗浄水を吐き出すことにより、汚物の排出を促進するための水流を便鉢部１４の凹部２２内に形成する。また、吐水部２６は、二つのリム吐水口３０Ａ、３０Ｂから洗浄水を吐き出すことにより、便鉢部１４の内面を洗浄するための水流を形成する。水洗大便器１０は、吐水部２６、特に、ジェット吐出口２８に主な特徴の一つがあるが、先に周辺構造から説明する。
【００１６】
トラップ部１８は、図２に示すように、上流側から下流側にかけて順に第１水路部３２、第２水路部３４及び第３水路部３６を有する。第１水路部３２は、トラップ部１８の入口１６から下降するように形成される。第２水路部３４は、第１水路部３２の下流端部に対して後方に上流端部が接続され、その上流端部から上昇するように形成される。第３水路部３６は、第２水路部３４の下流端部に対して後方に上流端部が接続され、その上流端部から後方に延び出るように形成される。第３水路部３６の下流端部には排水管１０２が接続され、トラップ部１８及び排水管１０２の内部を通して汚物が下水側水路に排出される。
【００１７】
トラップ部１８には通水方向の空気の流れを遮断する封水３８が第１水路部３２及び第２水路部３４の内部に溜められる。下水側水路からの臭気の逆流は封水３８により防がれる。第２水路部３４と第３水路部３６の境界部分には内部を通る水の通水方向が変わる曲げ部４０が形成される。曲げ部４０の曲げ内側に配置される内壁面の上端縁４２は、トラップ部１８内の封水３８の非洗浄時の水位を定める溢れ縁（以下、「溢れ縁４２」という）となる。ここでの「非洗浄時」とは、便鉢部１４内の洗浄を開始する前の待機状態にある時をいう。トラップ部１８内の封水３８が溢れ縁４２を超えると、その溢れ縁４２からトラップ部１８内の封水３８が下流側にあふれ出る。
【００１８】
トラップ部１８内の封水３８の一部は便鉢部１４の底部に溜水４４として溜められる。溜水４４の非洗浄時の水位ＷＬ１（以下、初期水位ＷＬ１という）は、封水３８と同様、溢れ縁４２の鉛直方向での位置に応じて定められる。
【００１９】
リム部２４には、図３に示すように、二つのリム吐水口３０Ａ、３０Ｂのそれぞれから便鉢部１４の周方向の一方側（本図では反時計回り方向）に延びるように二つのリム導水路４８が形成される。リム導水路４８は、リム吐水口３０Ａ、３０Ｂから吐き出される洗浄水を旋回させるように導くことにより、リム導水路４８の始端位置から終端位置まで洗浄水を届かせるためのものである。
【００２０】
吐水部２６は、ジェット吐出口２８と、二つのリム吐水口３０Ａ、３０Ｂとの他に、流入口５４と、右リム通水路５６Ａ（第１通水路）と、左リム通水路５６Ｂ（第２通水路）と、ジェット用給水路５８と、を有する。ジェット吐出口２８の詳細は後述し、他の構成を先に説明する。
【００２１】
二つのリム吐水口３０Ａ、３０Ｂには、右リム吐水口３０Ａ（第１吐水口）と左リム吐水口３０Ｂ（第２吐水口）とが含まれる。右リム吐水口３０Ａは、図１に示すように、便器本体１２の左右中心線ＣＬに対して右側であって、便鉢部１４の前後方向での中間位置に配置される。左リム吐水口３０Ｂは、便器本体１２の左右中心線ＣＬに対して左側であって、便鉢部１４の後部に配置される。ここでの左右中心線ＣＬとは便器本体１２の外面部分の左右寸法を二等分して前後方向に沿って延びる直線をいう。二つのリム吐水口３０Ａ、３０Ｂからは、リム部２４の内周面に沿って周方向の一方側に向けて洗浄水が吐き出される。
【００２２】
流入口５４には、図２に示すように、洗浄水供給装置１０４の一部となる送水管１０４ａから供給される洗浄水が流入する。図３では、送水管１０４ａから流入口５４を通して吐水部２６内に流入する洗浄水の通水経路Ｗｐを示す。
【００２３】
右リム通水路５６Ａ及び左リム通水路５６Ｂは、流入口５４から流入した洗浄水を分岐させて流すためのものである。右リム通水路５６Ａを流れる洗浄水は右リム吐水口３０Ａに供給され、左リム通水路５６Ｂを流れる洗浄水は左リム吐水口３０Ｂに供給される。右リム通水路５６Ａ及び左リム通水路５６Ｂの分岐元となる分岐位置６０はリム部の後方かつ裏側に配置される。
【００２４】
右リム通水路５６Ａは、分岐位置６０からリム部２４の裏側にて周方向の一方側（反時計回り方向）に延びるように形成される。右リム通水路５６Ａの下流端には右リム吐水口３０Ａが形成される。
【００２５】
左リム通水路５６Ｂは、分岐位置６０からリム部２４の裏側にて周方向の他方側（時計回り方向）に延びるように形成される。左リム通水路５６Ｂは延びる方向の先端部が行き止まりとなるように形成される。左リム通水路５６Ｂの途中位置には周方向の一方側（反時計回り方向）かつ径方向内側に延びるように分岐水路６２が形成される。分岐水路６２の下流端には左リム吐水口３０Ｂが形成される。
【００２６】
ジェット用給水路５８は、図２、図３に示すように、左リム通水路５６Ｂの先端部に接続される。ジェット用給水路５８は、ジェット吐出口２８に洗浄水を供給するためのものである。左リム通水路５６Ｂの内底面にはジェット用給水路５８内に洗浄水を導入するための導入口６４が形成される。ジェット用給水路５８は、導入口６４とジェット吐出口２８とをつなぐように形成される。詳しくは、ジェット用給水路５８は、導入口６４から下方に向かって延びる第１部分５８ａと、第１部分５８ａの下流端部から周方向の他方側（本図の時計回り方向）かつ下方に向かって曲がりながら延びる第２部分５８ｂと、を有する。第２部分５８ｂは、便鉢部１４の側部の裏側からジェット吐出口２８の裏側にかけて曲がりながら延びる。ジェット用給水路５８は、さらに、第２部分５８ｂの下流端部からジェット吐出口２８に向かって後方に延びる第３部分５８ｃを有する。
【００２７】
ジェット吐出口２８は、便鉢部１４の凹部２２の左側かつ前側の壁面に形成される。ジェット吐出口２８からは、二つのリム吐水口３０Ａ、３０Ｂからの洗浄水の吐き出し方向と同様に、便鉢部１４の凹部２２内に周方向の一方側（時計回り方向）に向けて洗浄水が吐き出される。ジェット吐出口２８からは水平方向に沿うように洗浄水が吐き出される。ここでの「水平方向に沿うように」とは、洗浄水の吐き出し方向が水平面と平行な場合と、ほぼ平行な場合との両方が含まれる。
【００２８】
図４は図２の便鉢部１４のＣ−Ｃ線断面を示す図である。
ジェット吐出口２８は、図２、図４に示すように、溜水４４の初期水位ＷＬ１を上下に跨がるように形成される。ジェット吐出口２８の上側部分は溜水４４の初期水位ＷＬ１より上側に配置され、その内側を通してジェット用給水路５８内と便鉢部１４内との大気空間が連通した状態になる。ジェット吐出口２８の下側部分は溜水４４の初期水位ＷＬ１より下側に配置され、その溜水４４内に水没した状態になる。詳しくは、ジェット吐出口２８の下縁２８ａが初期水位ＷＬ１より下側に配置される。この下縁２８ａは、ジェット吐出口２８内を通る水に対して鉛直下側に位置するジェット吐出口２８の一部分である。
【００２９】
以上の水洗大便器１０の作用効果を説明する。
（１）水洗大便器１０のジェット吐出口２８は溜水４４の初期水位ＷＬ１を上下に跨がるように形成され、その下側部分が初期水位の溜水４４に水没した状態になる。よって、便器洗浄後、ジェット用給水路５８を通してジェット吐出口２８まで到達した補給水、残留水等の水を、便鉢部１４の内面を伝わせずに溜水４４に合流させられる。このため、便器洗浄後、ジェット吐出口２８から便鉢部１４の内面へのすじ状水の流れ落ちを抑えることで、便器洗浄に起因する便鉢部１４内の見栄えの低下を防止できる。なお、ここでの「補給水」とは、便器洗浄により溜水４４がトラップ部１８を通して排出された後、再び溜水４４を初期水位ＷＬ１まで溜めるために供給される水をいう。また、「残留水」とは、洗浄水供給装置１０４からの洗浄水の供給終了後、リム通水路５６Ａ、５６Ｂ、ジェット用給水路５８内に残留している水をいう。
【００３０】
また、仮に、ジェット吐出口２８から便鉢部１４の内面にすじ状水が流れ落ちると、すじ状水の一部が便鉢部１４の内面に付着した状態のまま残留してしまう場合がある。この場合、便鉢部１４の内面に付着した水の水質によっては、その水の蒸発後に付着位置に汚れができてしまう。この点、本実施形態によれば、ジェット吐出口２８から便鉢部１４の内面へのすじ状水の流れ落ちを抑えられるため、すじ状水の残留による便鉢部１４の内面の汚れを抑えられ、便器洗浄に起因する便鉢部１４内の見栄えの低下を防止できる。また、すじ状水の残留による便鉢部１４の内面の汚れを抑えることで、便鉢部１４内を清潔に保つこともできる。
【００３１】
また、ジェット吐出口２８は溜水４４の初期水位ＷＬ１を上下に跨がるように形成され、ジェット吐出口２８の上側部分の内側を通してジェット用給水路５８と便鉢部１４内との大気空間が連通した状態になる。この利点を説明する。
【００３２】
図５はジェット用給水路５８内での洗浄水の流れ方を示す模式図である。図５（ａ）は便器洗浄の開始前の状態を示す。本図では、説明の便宜のため、便鉢部１４、トラップ部１８、ジェット用給水路５８等の位置、寸法及び形状について、他図と異なるものを示す。
【００３３】
左リム通水路５６Ｂに洗浄水Ｗが供給されると、図５（ｂ）に示すように、ジェット用給水路５８内には導入口６４から洗浄水が流入し、ジェット用給水路５８の導入口６４側から徐々に洗浄水が満たされる。ジェット用給水路５８内への洗浄水Ｗの流入により、ジェット用給水路５８内の空気は洗浄水Ｗによりジェット吐出口２８側に押し出される（方向Ｐａ参照）。このとき、前述のように、ジェット用給水路５８内の大気空間はジェット吐出口２８の上側部分の内側を通して便鉢部１４内の大気空間と連通した状態になるため、ジェット用給水路５８内の空気がジェット吐出口２８内を通してスムーズに排気される（方向Ｐｂ参照）。仮に、ジェット吐出口２８の全体が溜水４４内に水没している場合、ジェット用給水路５８内の空気が気泡になった状態でジェット吐出口２８から吐き出されるため、気泡の破裂音が生じることで、使用者に不快感を与えかねない。この点、本実施形態によれば、便器洗浄時、ジェット吐出口２８からの気泡の吐き出しを防止できるため、気泡の破裂音の発生を防止でき、便器洗浄動作の静音化を図ることができる。また、この他にも、ジェット吐出口２８からの気泡の吐き出しを防止することで、見た目の面から使用者に違和感を与えるのを防止できる。
【００３４】
次に、水洗大便器１０の他の特徴を説明する。
ジェット用給水路５８は、図５（ａ）に示すように、左リム通水路５６Ｂより洗浄水が流入する導入口６４からジェット吐出口２８にかけての範囲において、非洗浄時に連続する大気空間６６が存在するように形成される。ここでの「大気空間６６」とは大気が満ちている空間をいう。これは、この範囲において、ジェット用給水路５８の一部に通水方向の空気の流れを遮断する封水が溜められていないことを意味する。この利点を説明する。
【００３５】
図６は変形例に係るジェット用給水路５８内での洗浄水の流れ方を示す模式図である。
仮に、図６（ａ）に示すように、ジェット用給水路５８に封水６８が形成される場合を考える。この場合、ジェット用給水路５８内には封水６８により分断される上流側空気７０と下流側空気７２とが存在する状態になる。この状態で左リム通水路５６Ｂから洗浄水がジェット用給水路５８内に流入すると、図６（ｂ）に示すように、上流側空気７０が封水６８とともに洗浄水Ｗにより方向Ｐｃに押し出される。これにより、便鉢部１４の底部内の溜水４４に封水６８が合流することで、図６（ｃ）に示すように、ジェット用給水路５８内に空気が残存した状態で、ジェット吐出口２８が水没するまで溜水４４が初期水位ＷＬ１から上昇する可能性がある（方向Ｐｄ参照）。この場合、その残存した空気が気泡になった状態でジェット吐出口２８から排気されることにより（方向Ｐｅ参照）、気泡の破裂音が生じる可能性がある。
【００３６】
一方、前述の構成によれば、ジェット用給水路５８内の封水６８が形成されず、封水６８が溜水４４と合流することによる、溜水４４の水位の上昇を防止できる。よって、ジェット用給水路５８内に空気が残存した状態でジェット吐出口２８の全体が水没し、ジェット吐出口２８から気泡が排気されてしまう事態を防止でき、気泡の破裂音の発生を効果的に防止できる。
【００３７】
なお、本例に係る水洗大便器１０でも、ジェット吐出口２８が溜水４４の初期水位ＷＬ１を上下に跨がるように形成されるため、前述の（１）で説明した作用効果を得られる。
【００３８】
次に、ジェット吐出口２８ではなく、リム吐水口３０Ａ、３０Ｂからのすじ状水の流れ落ちを防止するための工夫点を説明する。
【００３９】
図７は各リム通水路５６Ａ、５６Ｂの内底面に形成される勾配を模式的に示す図である。本図では高位置から低位置に向かう勾配を矢印により示す。
各リム通水路５６Ａ、５６Ｂの内底面には、各リム吐水口３０Ａ、３０Ｂから奥側に向かうにつれて下り傾斜となる勾配が設けられる。詳しくは、右リム通水路５６Ａの内底面には右リム吐水口３０Ａが高位置となり、右リム通水路５６Ａ及び左リム通水路５６Ｂの分岐元となる分岐位置６０側が低位置となる第１勾配７４が設けられる。第１勾配７４は右リム吐水口３０Ａから奥側に向かうにつれて下り傾斜となるように設けられる。
【００４０】
また、左リム通水路５６Ｂの内底面には、前述の分岐位置６０側が高位置となり、ジェット用給水路５８の導入口６４が低位置となる第２勾配７６が設けられる。第２勾配７６は、左リム吐水口３０Ｂから奥側に向かうにつれて下り傾斜となるように設けられる。また、左リム通水路５６Ｂの内底面には、行き止まりとなる先端位置５６Ｂａが高位置となり、ジェット用給水路５８の導入口６４が低位置となる第３勾配７８が設けられる。なお、各リム通水路５６Ａ、５６Ｂの分岐位置６０には下向きに窪む窪み部８０が形成される。
【００４１】
以上の構成の利点を説明する。洗浄水供給装置１０４からの洗浄水の供給が終了し、各リム吐水口３０Ａ、３０Ｂの下縁近くまで各リム通水路５６Ａ、５６Ｂ内の水位が下がった状況を考える。この状況のとき、各リム通水路５６Ａ、５６Ｂの内底面上の残留水、補給水等の水は、第１勾配７４、第２勾配７６により、各リム吐水口３０Ａ、３０Ｂから離れる方向に自重によって流れ易くなる。つまり、各リム通水路５６Ａ、５６Ｂの内底面上の水が各リム吐水口３０Ａ、３０Ｂに近づき難くなり、各リム吐水口３０Ａ、３０Ｂを通して便鉢部１４内にまで流れ難くなる。これにより、前述の状況のように各リム通水路５６Ａ、５６Ｂ内の水位が下がったとき、各リム吐水口３０Ａ、３０から便鉢部１４の内面をすじ状水が流れ落ちるのを防止でき、便器洗浄に起因する便鉢部１４内の見栄えの低下を効果的に防止できる。
【００４２】
また、ジェット用給水路５８の導入口６４は、各リム吐水口３０Ａ、３０Ｂより低位置に少なくとも一部が配置される。本実施形態に係る導入口６４は、各リム吐水口３０Ａ、３０Ｂより低位置に全体が配置される。別の観点からいうと、導入口６４は、第１勾配７４、第２勾配７６をもつ内底面の最高位置より低位置に少なくとも一部が配置される。本実施形態に係る導入口６４は、第１勾配７４、第２勾配７６をもつ内底面の最高位置より低位置に全体が配置される。より詳しくは、導入口６４は、第１勾配７４をもつ内底面の最低位置より下側に配置され、第２勾配７６をもつ内底面の最低位置と同位置に配置される。
【００４３】
よって、各リム通水路５６Ａ、５６Ｂ内の水位が下がる過程において、各リム通水路５６Ａ、５６Ｂの内底面上の水を、第１勾配７４、第２勾配７６により、ジェット用給水路５８の導入口６４まで自重によって導き易くなる。よって、各リム通水路５６Ａ、５６Ｂの内底面上の水をジェット用給水路５８を通して排出でき、各リム吐水口３０Ａ、３０Ｂを通して便鉢部１４内に流れる水の量を減らし易くなる。この結果、各リム通水路５６Ａ、５６Ｂ内の水位が下がる過程において、各リム吐水口３０Ａ、３０Ｂから便鉢部１４の内面をすじ状水が流れ落ちるのをより効果的に防止でき、便器洗浄に起因する便鉢部１４内の見栄えの低下を更に効果的に防止できる。
【００４４】
次に、以上の水洗大便器１０を用いた便鉢部１４の洗浄方法を図８を用いて説明する。
水洗大便器１０は、便鉢部１４内の汚物を水の落差を用いてトラップ部１８内に押し流す、いわゆる洗い落し式の洗浄方式により便鉢部１４内を洗浄する。洗浄水の供給を開始するためのスイッチ、レバー等の操作部材の操作により、水洗大便器１０の吐水部２６内には洗浄水供給装置１０４から所定の流量範囲内の洗浄水が供給される。以下、所定の流量範囲内の洗浄水の供給を開始してから終了するまでの動作を一回の洗浄動作として説明する。なお、洗浄水供給装置１０４は、本実施形態において、水道水の給水圧を用いた水道直圧式の給水方式により洗浄水を供給する。
【００４５】
洗浄水供給装置１０４から供給される洗浄水は吐水部２６内に流入口５４から流入する。吐水部２６内に流入した洗浄水は、右リム通水路５６Ａ、左リム通水路５６Ｂ、ジェット用給水路５８（不図示）のそれぞれの内部を流れつつ、ジェット吐出口２８、各リム吐水口３０Ａ、３０Ｂのそれぞれから吐き出される。
【００４６】
ジェット吐出口２８から吐き出される洗浄水は、便鉢部１４の凹部２２内を周方向の一方側（反時計回り方向）に沿って旋回する旋回流Ｄｗａを形成する。この旋回流Ｄｗａにより凹部２２の内面が洗浄されるとともに、凹部２２内の汚物が旋回中心に集められる。
【００４７】
各リム吐水口３０Ａ、３０Ｂはリム部２４の内周面に沿って周方向の一方側に洗浄水を吐き出すことにより、便鉢部１４内を周方向の一方側に沿って旋回する旋回流Ｄｗｂを形成する。この旋回流Ｄｗｂにより便鉢部１４のリム部２４や受け面部２０が洗浄される。受け面部２０上の旋回流Ｄｗｂを形成する洗浄水の一部は、下方に向かいながら旋回し、受け面部２０上から凹部２２内を通ってトラップ部１８の入口１６に向かう流れＤｗｃを形成する。便鉢部１４の凹部２２内の汚物は、この流れＤｗｃによって、トラップ部１８内に入口１６を通して押し流される。特に、前述の旋回流Ｄｗａにより旋回中心に集められた汚物が押し流されるため、汚物を効果的に排出できる。
【００４８】
ここで、ジェット用給水路５８内での洗浄水の流れ方を考える。ジェット用給水路５８内に流入する洗浄水は、図５（ｂ）に示すように、ジェット用給水路５８内の空気をジェット吐出口２８側に押し出しつつ流れ、ジェット吐出口２８に達した時点でジェット吐出口２８から吐き出され始める。よって、図９に示すように、ジェット吐出口２８から洗浄水が吐き出される前にジェット吐出口２８の全体が水没してしまうと、洗浄水により押し出される空気がジェット用給水路５８内に空気が残存した状態のままになってしまう。この場合、ジェット用給水路５８内の空気がジェット吐出口２８から気泡になった状態で排気され（方向Ｐｆ参照）、便鉢部１４内で気泡の破裂音が生じてしまう。このような事態は、ジェット吐出口２８から洗浄水が吐き出される前に、リム吐水口３０Ａ、３０Ｂから吐き出される洗浄水によって、溜水４４が初期水位ＷＬ１から上昇した場合に起こりえる。
【００４９】
そこで、本実施形態に係る便鉢部１４及び吐水部２６は、ジェット吐出口２８から洗浄水が吐き出されてから、リム吐水口３０Ａ、３０Ｂから吐き出される洗浄水が溜水４４に着水するように構成される。別の観点からいうと、便鉢部１４及び吐水部２６は、ジェット用給水路５８内に導入口６４から流入する洗浄水によって、ジェット用給水路５８内の空気をジェット吐出口２８を通して押し出し終えてから、リム吐水口３０Ａ、３０Ｂから吐き出される洗浄水が溜水４４に着水するように構成される。これにより、ジェット用給水路５８内の空気を洗浄水により押し出し終える前に、リム吐水口３０Ａ、３０Ｂから吐き出される洗浄水が溜水４４に着水し、溜水４４の水位の上昇によりジェット吐出口２８の全体が水没してしまう事態を防止できる。この結果、ジェット用給水路５８内に空気が残存した状態でジェット吐出口２８の全体が水没してしまうことで、ジェット吐出口２８から気泡が排気されてしまう事態を防止でき、気泡の破裂音の発生を効果的に防止できる。
【００５０】
このように構成するため、吐水部２６は、流入口５４から各リム吐水口３０Ａ、３０Ｂまでの通水経路の長さ、ジェット用給水路５８の通水経路の長さ、各通水路５６Ａ、５６Ｂ、５８の通路断面積等が調整される。また、このように構成するため、便鉢部１４は、平面視での曲率半径、各部位の傾斜等が調整される。ジェット吐出口２８から早期に洗浄水を吐き出すうえでは、ジェット吐出口２８に早期に洗浄水が到達するようにするため、ジェット用給水路５８の通水経路の長さを短く、ジェット用給水路５８の通路断面積を小さくする等して調整する。各リム吐水口３０Ａ、３０Ｂから吐き出される洗浄水（以下、リム洗浄水という）が溜水４４に着水するタイミングを遅くするうえでは、流入口５４から各リム吐水口３０Ａ、３０Ｂまでの通水経路の長さを長くする、便鉢部１４の平面視での曲率半径を大きくする、一部の傾斜を緩やかにする等して調整する。
【００５１】
以上の構成を別の観点からいうと、便鉢部１４及び吐水部２６は、ジェット用給水路５８内の空気がジェット吐出口２８から排気され終えてから、ジェット吐出口２８全体が水没するように構成されるともいえる。これによっても、ジェット用給水路５８内の空気を洗浄水により押し出し終える前に、溜水４４の水位の上昇によりジェット吐出口２８の全体が水没してしまう事態を防止できる。
【００５２】
このように構成するうえでは、ジェット用給水路５８内の空気がジェット吐出口２８から排気され終える前に、ジェット吐出口２８全体が水没するまで溜水４４の水位を上昇させなくする条件を満たす必要がある。このような溜水４４の水位の上昇は、リム洗浄水が溜水４４に着水することによって起こる。よって、前述の条件を満たすうえでは、前述と同様、（Ａ）ジェット吐出口２８から早期に洗浄水を吐き出すようにしつつ、（Ｂ）リム洗浄水が溜水４４に着水するタイミングを遅くするように、吐水部２６、便鉢部１４を構成すればよい。（Ａ）を条件としたのは、ジェット吐出口２８から早期に洗浄水を吐き出すようにすれば、それだけジェット用給水路５８内の空気を排気し終えるタイミングを早められるからである。
【００５３】
なお、図１０に示すように、便器洗浄時において、ジェット吐出口２８、リム吐水口３０Ａ、３０Ｂから吐き出される洗浄水により、便鉢部１４の凹部２２内の溜水４４は初期水位ＷＬ１から水位ＷＬ２（図２、図４も参照）まで上昇する。この水位ＷＬ２にあるとき、ジェット吐出口２８の全体は水没する。このような水位ＷＬ２になるように、洗浄水供給装置１０４から供給される洗浄水の供給量が調整される。
【００５４】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５５】
水洗大便器１０は、洗浄方式として洗い落し式を用いる例を説明したが、サイホン式等の他方式と組み合わせた洗浄方式により便鉢部１４内を洗浄してもよい。水洗大便器１０は、給水方式として水道直圧式を用いる例を説明したが、この他にも重力を用いた重力給水式等の給水方式が用いられてもよい。便器本体１２は壁掛け式便器を例に説明したが、トイレ室の床面上に設置される床置き式便器でもよい。また、便器本体１２は陶器の他に樹脂等を素材としてもよい。
【００５６】
トラップ部１８の入口１６は便鉢部１４の底部（凹部２２）の底面部に開口する例を説明したが、底部の側面部に開口してもよい。
【００５７】
ジェット吐出口２８は凹部２２の左側かつ前側の壁面に形成される例を説明したが、その位置はこれに限られない。また、吐水部２６は、ジェット吐出口２８から洗浄水を吐き出すことにより、便鉢部１４の底部内に周方向の一方側に沿って旋回する旋回流を形成するように構成される例を説明した。このジェット吐出口２８から吐き出される洗浄水により形成される水流は、これに限られず、たとえば、トラップ部１８の入口１６を通してトラップ部１８の奥側に向かう水流が形成されてもよい。いずれにしても、トラップ部１８を通して汚物の排出を促進する水流が形成されればよい。
【００５８】
また、この他に、ジェット吐出口２８は、ジェット吐出口２８の上下寸法をＬａとしたとき、上下寸法Ｌａに対して１／４以上３／４以下の範囲が、溜水４４の初期水位ＷＬ１に対して下側に配置されるように形成されてもよい。
【００５９】
リム吐水口３０Ａ、３０Ｂは、便鉢部１４内に洗浄水を吐き出すための吐水口の一例として説明した。この吐水口はリム部２４に形成されていなくともよく、便器本体１２上に搭載される温水洗浄装置に形成されてもよい。また、リム部２４には二つのリム吐水口３０Ａ、３０Ｂが形成される例を説明したが、リム部２４には一つのリム吐水口のみが形成されてもよいし、三つ以上のリム吐水口が形成されてもよい。また、リム吐水口３０Ａ、３０Ｂはリム部２４の内周面に沿って周方向の一方側に向けて洗浄水を吐き出す例を説明した。リム部２４に形成される吐水口は、便鉢部１４内に洗浄水を吐き出すためのものであればよく、洗浄水の吐き出し方向はこれに限られない。たとえば、下向きに洗浄水を吐き出してもよい。
【００６０】
また、リム部２４の裏側には左リム通水路５６Ｂ及び右リム通水路５６Ａが形成される例を説明したが、いずれか片方のみが形成されてもよい。
【００６１】
また、ジェット用給水路５８の導入口６４は左リム通水路５６Ｂの内底面に形成される例を説明した。導入口６４は、吐水口に洗浄水を供給するための通水路の内壁面に形成される場合、左リム通水路５６Ｂの内側面に形成されてもよいし、右リム通水路５６Ａの内底面又は内側面に形成されてもよい。
【００６２】
以上の実施形態、変形例により具体化される発明を一般化すると、以下の技術的思想が導かれる。
【００６３】
前述の課題を解決するための手段に記載の態様の水洗大便器は、前記便鉢部及び前記吐水部は、前記ジェット用給水路内の空気が前記ジェット吐出口から排気され終えてから、前記ジェット吐出口全体が水没するように構成されてもよい。
この態様によれば、ジェット用給水路内の空気を洗浄水により押し出し終える前に、溜水の水位の上昇によりジェット吐出口全体が水没してしまう事態を防止できる。この結果、ジェット用給水路内に空気が残存した状態でジェット吐出口の全体が水没してしまうことで、ジェット吐出口から気泡が排気されてしまう事態を防止でき、気泡の破裂音の発生を効果的に防止できる。
【００６４】
前述の態様の水洗大便器は、前記吐水部は、前記便鉢部内に洗浄水を吐き出すための吐水口を有し、前記便鉢部及び前記吐水部は、前記ジェット吐出口から洗浄水が吐き出されてから、前記リム吐水口から吐き出される洗浄水が前記溜水に着水するように構成されてもよい。
この態様によれば、ジェット用給水路内の空気を洗浄水により押し出し終える前に、リム吐水口から吐き出される洗浄水が溜水に着水し、溜水の水位の上昇によりジェット吐出口の全体が水没してしまう事態を防止できる。この結果、ジェット用給水路内に空気が残存した状態でジェット吐出口の全体が水没してしまうことで、ジェット吐出口から気泡が排気されてしまう事態を防止でき、気泡の破裂音の発生を効果的に防止できる。
【００６５】
前述の態様の水洗大便器は、前記ジェット用給水路は、洗浄水を導入するための導入口から前記ジェット吐出口にかけての範囲において、非洗浄時に連続する大気空間が存在するように形成されてもよい。
仮に、ジェット用給水路内に通水方向の空気の流れを遮断する封水が形成される場合、ジェット用給水路の導入口から洗浄水が流入すると、導入口と封水との間の空気が封水とともに押し出され、溜水に封水が合流することで、溜水が非洗浄時の水位から上昇してしまう。これにより、ジェット用給水路内の空気がジェット吐出口から気泡になった状態で排気され、気泡の破裂音が生じる可能性がある。
この態様によれば、ジェット用給水路内に封水が形成されないため、ジェット用給水路内の封水が溜水と合流することによる溜水の水位の上昇を防止できる。よって、ジェット用給水路内に空気が残存した状態でジェット吐出口の全体が水没してしまうことで、ジェット吐出口から気泡が排気されてしまう事態を防止でき、気泡の破裂音の発生を効果的に防止できる。
【００６６】
前述の態様の水洗大便器は、前記便鉢部は、該便鉢部の上端部を形成するリム部を有し、前記吐水部は、前記リム部に形成されるリム吐水口と、前記リム部の裏側に形成され、前記リム吐水口に洗浄水を供給するためのリム通水路と、を有し、前記リム通水路の内底面には、前記リム吐水口から奥側に向かうにつれて下り傾斜となる勾配が設けられてもよい。
リム吐水口の下縁近くまで通水路内の水位が下がった状況を考える。この態様によれば、この状況のとき、リム通水路の内底面上の水は、その内底面の勾配により、リム吐水口から離れる方向に自重により流れ易くなる。つまり、リム通水路の内底面上の水がリム吐水口まで近づき難くなり、リム吐水口を通して便鉢部内にまで流れ難くなる。よって、前述の状況のようにリム通水路内の水位が下がったとき、リム吐水口から便鉢部の内面をすじ状水が流れ落ちるのを防止でき、便器洗浄に起因する便鉢部内の見栄えの低下を効果的に防止できる。
【００６７】
前述の態様の水洗大便器は、前記ジェット用給水路内に洗浄水を導入するための導入口は、前記リム通水路の内壁面に形成され、前記リム吐水口より低位置に少なくとも一部が配置されてもよい。
この態様によれば、リム通水路内の水位が徐々に下がる過程において、リム通水路の内底面上の水を勾配によりジェット用給水路の導入口まで自重によって導き易くなる。よって、リム通水路の内底面上の水をジェット用給水路を通して排出でき、リム吐水口を通して便鉢部内に流れる水の量を減らし易くなる。この結果、リム通水路内の水位が下がる過程において、リム吐水口から便鉢部の内面をすじ状水が流れ落ちるのをより効果的に防止でき、便器洗浄に起因する見栄えの低下を更に効果的に防止できる。
【符号の説明】
【００６８】
１０…水洗大便器、１４…便鉢部、１６…入口、１８…トラップ部、２４…リム部、２６…吐水部、２８…ジェット吐出口（吐出口）、３０Ａ…右リム吐水口（第１吐水口）、３０Ｂ…左リム吐水口（第２吐水口）、４４…溜水、５６Ａ…右リム通水路（第１通水路）、５６Ｂ…左リム通水路（第２通水路）、５８…ジェット用給水路（給水路）、６４…導入口、６６…大気空間。
【図１】
0006584856.tif 000002
【図２】
0006584856.tif 000003
【図３】
0006584856.tif 000004
【図４】
0006584856.tif 000005
【図５】
0006584856.tif 000006
【図６】
0006584856.tif 000007
【図７】
0006584856.tif 000008
【図８】
0006584856.tif 000009
【図９】
0006584856.tif 000010
【図１０】
0006584856.tif 000011